(57)【要約】【課題】  工具のプラグを差し込んだままで延長コードを巻き取っても、工具のコードがよじれず、かつ簡易な構造で作業現場での電気通電を受けることを特徴とする。【解決手段】  工具のコードを差し込むコンセントを設けた胴部４と、その外周部をガイド１３を介して巻装部８が独立して回動する構造にする。  巻装部８の回動時には胴部４との間に電気的通電は不要であるという、ドラムｃの実用的特性を利用して、作業現場では巻装部８の静止時に、胴部４からのプラグ１１を巻装部に設けたコンセント９に差し込むことによって電気通電を得る構造にした。  それによって常時電気的接触を必要とする構造を単純化することが可能となった。【選択図】図１
2011026110.tif 000002
【特許請求の範囲】
【請求項１】
延長コードドラムであって、コンセントが設けられている胴部を静止させた状態で延長コードを巻装する巻胴部が常時電気的接触を必要とすることなく、独立して回転する構造を持つことで、延長コードの延長又は巻取りがなし得るようにされていることを特徴とする延長コードドラム。
【請求項２】
複数のコンセントを有する前記胴部と、電気供給する目的の為の延長コードを巻装する巻胴部の双方にぞれぞれ、電極（＋・−）配し、巻胴部が静止する状況下で両電極を接触固定又は、接触固定を解除させる作業を施すことによって、巻胴部と胴部間の通電・不通電を任意にコントロールできる機能を持つことを特徴とする延長コードプラグ。
【発明の詳細な説明】
【技術分野】
【０００１】  本発明は、延長コードドラムに関する。さらに詳しくは、コンセント部分が回転しない延長コードドラムに関する。
【背景技術】
【０００２】  従来より、工場において作業所に電源がない場合、図３に示すように延長コードドラム（以下単にドラムという）ａにより電源を確保することがなされている。すなわち、作業場所から離れた箇所にあるコンセント１に延長コードのプラグ３を差込、延長コード２を延長させてドラムａを作業場所近くに置き、そしてこの胴部４側面に設けられたコンセント５に工具のプラグ６を差込んで作業がなされている。【０００３】    そして、その箇所での作業が終了すると胴部４を含め全体を回動させて延長コード２の巻取り又は延長がなされる、【０００４】    しかるに、従来のドラムａにあってはコンセント５が設けられている胴部４とコードが巻装される巻装部８とが一体として回動する構造のため、工具のプラグ６をドラム側面のコンセント５に差込んだまま延長コード２を巻き取ると、工具からのコード７がよじれるという問題がある。これを避けるためには、延長コード２を巻き取る際に工具のプラグ６をコンセント６から抜く必要がある。【０００５】    しかしながら、通常このドラムａには複数の工具のプラグが差込まれているため、作業員はこのドラムａを持って作業場所を移動する必要があるときなど、多くの場合作業員は電気供給用コンセント１の場所から離れた距離で作業中のためプラグ３をコンセント１に差込んだままでドラムａを移動させることがなされている。【０００６】    そのためにドラムａが移動する際、延長コード２が延長するので胴部４のコンセント５に差し込まれた工具のコードが絡み合いよじれるため、工具プラグ６をコンセントから抜き取ってから移動することがなされていた。【０００７】    そのため、係る作業に従事する作業員などから工具のプラグ６をコンセント５に差込んだままで延長コード２の巻取りができるドラムａの出現が熱望されていた。【０００８】    そのような状況下で、図４に示すようなドラムｂというように、巻装部８が回動しても胴部４は静止する構造を考案し、コンセントを差込んだ工具のコードがよじれない為の工夫・考案がこれまでなされてきた（参考  実公平２−４００５８号公報、特開平１０−２３６７３７）。【０００９】    しかしながら従来の考案では、巻装部が回転する際にも、延長コードを巻装する巻装部との間に、常時電気的接触を不可欠な構造としたため（参考特許文献    実用新案公報（Ｙ２）  平２−４００５８、特許公開平１０−６９９３５）、工具のコードのよじれを解決したものの、構造上の複雑化を招き製造コストを増加させる結果を招いた。
【発明の開示】
【発明が解決しようとする課題】
【００１０】  本発明は延長コードドラムの実用的特性、つまりドラムの移動時は電気的接触・通電は不必要であることに着眼し、構造を平易にし製造コストの低減に寄与するとともに延長コードのよじれを解決することを課題とした。
【課題を解決するための手段】
【００１１】  本発明は、コンセントが設けられている部分を静止させた状態で、延長コードの延長又は巻取りがなし得ることを、従来の構造をよりシンプルにして提供するための考案である。【００１２】    本発明においては、電極（＋・−）を巻装部および胴部のそれぞれに設置し、常時電気的接触を必要としないため、延長コードドラムの移動終了後に、電極を接触・通電する機能を設けることによって、構造をシンプル、、且つ工具への電気供給及びよじれ問題を改善したことを特徴とする。
【発明の効果】
【００１３】  本発明は、巻装部が回転するときも、胴部は静止しているので、胴部のコンセントに差込まれた工具コードはよじれることはなく、移動完了時に巻装部と胴部に設けられた電極を接続固定して電気通電をすればよいので、常時電気的接触を保持する必要はないので構造をシンプルにすることができ製造コストを増加させずに実用価値の増加を果たすことができる。
【発明を実施するための形態】
以下、添付図面を参照しながら本発明を実施の形態に基づいて説明するが、本発明は係る実施の形態のみに限定されるものではない。
【００１４】  本発明の一実施例に係るドラムＣを図１及び、図２に一部の横断面図で示した。
【００１５】    図１で説明する。胴部４は巻装部８が回動するときも、静止する構造である。ドラムＣの移動終了後に、胴部４を固定する中空のシャフト１２からコード１０を引き出しプラグ１１と巻装部８に設けたコンセント９を接続して、巻装部８と胴部４間の電気通電をする。巻装部８は円盤状の胴部４の外周部を挟んだ状態で回動するようになっている。
【００１６】    図２を説明する。巻装部８と胴部４はガイド部１３を介して、巻装部８が胴部４の外周を独立して回動する。延長コード２を通して供給される電流は、電極１６ａ・１６ｂから配線されて電極１５ａ．・１５ｂに連結されたコンセント９に通電される。プラグ１１とコンセント９は工具使用時のみ差し込めばよく、ドラムの移動時はプラグ１１は抜いておけばよい。
【００１７】    胴部４の外周を保持するガイド部１２には巻装部８の回動を補助するために一例としてベアリングを介在させることも可能である。また、プラグ１０は伸縮性のあるコイル状のコードを素材とすることもよいが、ドラム使用時に、容易に巻装部８が回転するのを防止するため、コード１０を強度の素材を使用してコード自体に巻装部の回転を抑止させる役割を与えるか、支持脚１４から新たにストッパーを設けることが考えられる。
【図面の簡単な説明】
【００１８】
【図１】本発明の一実施の形態の延長コードドラムの外観図である。
【図２】同（部分）横断図である。
【図３】従来の延長コードドラムの外観図である。
【図４】従来の延長コードドラムの外観図である。
【符号の説明】１    コンセント
２    延長コード
３    延長コードのプラグ
４    胴部
５    胴部コンセント
６    工具用コードプラグ
７    工具用コード
８    巻装部
９    コンセント
１０  コード
１１  プラグ
１２  シャフト
１３  ガイド部
１４  支持脚
１５ａ  電極
１５ｂ  電極
１６ａ  電極
１６ｂ  電極
１７  コンセントボックス
１８  配線コード
【図１】
2011026110.tif 000003
【図２】
2011026110.tif 000004
【図３】
2011026110.tif 000005
【図４】
2011026110.tif 000006